(57)【要約】【課題】  水処理装置の槽本体を構成する上部槽或いは下部槽の積み重ねを効率よく行うことができ、且つ積み重ね状態を安定化させるのに有効な技術を提供する。【解決手段】  水処理装置を構成する下部槽１２０の側壁面１２０ｂに複数のコルゲート部１２１，１２２を設け、各コルゲート部に、中心点Ｐに関し点対称となるコルゲート部が存在し、且つ短辺方向の中心線Ｌ２に関し線対称となるコルゲート部が存在するように構成するとともに、互いに点対称となるコルゲート部同士の上端部の位置が高さ方向に関し異なるように構成する。【選択図】      図３
2006255608.tif 000002
【特許請求の範囲】
【請求項１】
槽本体に被処理水の処理を行う水処理機構を収容する水処理装置であって、
前記槽本体は、平面視が略長方形となる椀状の上部槽及び下部槽からなり、これら上部槽及び下部槽の接合フランジ面同士を接合することによって形成される構成であり、
前記上部槽及び下部槽の少なくとも一方は、側壁面が内周側へと凹んだ複数のコルゲート部を備え、これら複数のコルゲート部に、当該槽の長辺方向の中心線と短辺方向の中心線が交差する中心点に関し互いに点対称となる少なくとも一組のコルゲート部と、前記少なくとも一組のコルゲート部の各々に対し更に長辺方向の中心線或いは短辺方向の中心線に関し線対称となる別のコルゲート部とを含むとともに、互いに点対称となる前記コルゲート部同士の上端部の位置が高さ方向に関し異なる構成であることを特徴とする水処理装置。
【請求項２】
請求項１に記載の水処理装置であって、
前記上部槽及び下部槽の少なくとも一方は、前記一組のコルゲート部を複数組備えることを特徴とする水処理装置。
【請求項３】
請求項１または２に記載の水処理装置であって、
前記上部槽及び下部槽の少なくとも一方は、前記中心点に関し互いに点対称となる前記少なくとも一組のコルゲート部に、前記上端部の位置が高さ方向に関し前記接合フランジ面の位置と概ね合致するコルゲート部を含む構成であることを特徴とする水処理装置。
【請求項４】
請求項１〜３のいずれかに記載の水処理装置であって、
前記上部槽及び下部槽の少なくとも一方は、前記中心線に関し互いに線対称となるとともに前記上端部の位置が高さ方向に関し互いに概ね合致する少なくとも一組のコルゲート部を含み、当該少なくとも一組のコルゲート部の上端部が内装部材の取り付け座として構成されることを特徴とする水処理装置。
【請求項５】
請求項１〜４のいずれかに記載の水処理装置であって、
前記槽本体は、前記下部槽の内部を区画するべく当該下部槽の短辺方向に沿って延在する仕切り板と、互いに対向する各側壁面において隣接するコルゲート部の間隔が前記仕切り板の厚みに基づいて設定された被挿入部とを備え、当該被挿入部に対し前記仕切り板が挿入可能な構成であることを特徴とする水処理装置。
【請求項６】
請求項５に記載の水処理装置であって、
前記被挿入部は、隣接するコルゲート部の間隔が前記仕切り板の厚みに概ね合致する構成であり、これによって当該被挿入部に挿入された状態の前記仕切り板の長辺方向への動作が規制されることを特徴とする水処理装置。
【発明の詳細な説明】
【技術分野】
【０００１】
本発明は、槽本体に被処理水の処理を行う水処理機構を収容する水処理装置に係り、詳しくは槽本体を構成する上部槽或いは下部槽の保管や運搬を容易にするのに有効な技術に関するものである。
【背景技術】
【０００２】
従来、上部槽及び下部槽のフランジ面同士を接合することによって形成されるフランジ接合式の浄化槽につき、接合前の上部槽或いは下部槽の保管や運搬を容易にする構成が種々提案されている。例えば、下記特許文献１には、浄化槽の上部槽或いは下部槽の側面に形成されるコルゲートの形状を工夫することによって、スペーサー等を用いることなく複数の槽の積み重ねを行う可能性が提示されている。
【特許文献１】実開平５−１３５９６号公報
【発明の開示】
【発明が解決しようとする課題】
【０００３】
ところで、この種の浄化槽を構成する上部槽或いは下部槽を保管時や運搬時において積み重ねる場合には、積み重ね作業に関する作業性向上を図ることはもちろん、積み重ね対象のバランスの良い積み重ねによって積み重ね状態を安定化させる要請がある。しかしながら、上記特許文献１に記載の浄化槽は、確かにスペーサー等を用いずに複数の槽を積み重ねる可能性を有するものの、積み重ね時のバランス性向上まで考慮した構成になっておらず、積み重ね状態を安定化させるのが難しい。
そこで、本発明はこのような点に鑑みてなされたものであり、水処理装置の槽本体を構成する上部槽或いは下部槽の積み重ねを効率よく行うことができ、且つ積み重ね状態を安定化させるのに有効な技術を提供することを課題とする。
【課題を解決するための手段】
【０００４】
前記課題を解決するために、本発明が構成される。なお、本発明は、一般家庭等から排出される生活排水をはじめ、各種の被処理水の処理を行う水処理機構を槽本体に収容する水処理装置に適用され得る技術である。
【０００５】
（本発明の第１発明）
前記課題を解決する本発明の第１発明は、請求項１に記載されたとおりの水処理装置である。請求項１に記載のこの水処理装置は、槽本体に被処理水の処理を行う水処理機構を収容する装置として構成される。ここでいう「水処理機構」は、各種の被処理水の処理を行うための機構であり、典型的には固液分離処理部、生物処理部、貯留処理部、移送処理部、消毒処理部等を適宜組み合わせることによって構成される。槽本体は、平面視が略長方形となる椀状の上部槽及び下部槽からなり、これら上部槽及び下部槽の接合フランジ面同士を重ね合わせて接合することによって形成されるフランジ接合式の構成になっている。
【０００６】
本発明の槽本体は、上部槽及び下部槽の少なくとも一方が、側壁面が内周側へと凹んだ複数のコルゲート部を備える。これらのコルゲート部によって当該槽の側壁面に形成される波型形状は、いわゆる「コルゲート形状」と称呼される補強構造を構成する。特に、本発明では、これら複数のコルゲート部に、当該槽の長辺方向の中心線と短辺方向の中心線が交差する中心点に関し互いに点対称となる少なくとも一組のコルゲート部と、これら少なくとも一組のコルゲート部の各々に対し更に長辺方向の中心線或いは短辺方向の中心線に関し線対称となる別のコルゲート部とを含む構成とされる。また、本発明では、互いに点対称となるコルゲート部同士の上端部の位置が、高さ方向に関し異なる構成とされる。
【０００７】
請求項１に記載の水処理装置のこのような構成によれば、上部槽及び下部槽の少なくとも一方の槽を複数積み重ねる際に、当該積み重ねを効率よく行うことが可能となるとともに、積み重ね状態を安定化させることが可能となる。
具体的には、互いに点対称となるコルゲート部同士の上端部の位置が高さ方向に関し異なるように構成されているため、一方の槽を他方の槽に対し１８０度回転させた状態で積み重ねることによって、点対称同士のコルゲート部が互いに重なり合うとともに、重なり合うコルゲート部同士の上端部の位置の相違によって、積み重ね状態において下側の槽と上側の槽との間に空間（スペース）が形成されることとなる。従って、スペーサー等を用いることなく、手間とコストを抑えたうえで、複数の槽を上下に効率よく積み重ねることができ、しかも一旦積み重ねた後の分離作業も容易に行うことができる。
また、本発明において、各コルゲート部には、中心点に関し点対称となるコルゲート部が存在し、且つ長辺方向の中心線或いは短辺方向の中心線に関し線対称となるコルゲート部が存在する構成であるため、積み重ねに関与するコルゲート部が当該槽の側壁面にバランス良く配置されることとなる。このような構成によって、槽の積み重ねに際しバランス良く配置されたコルゲート部同士が互いに重なり合う（嵌まり込む）こととなり、従って積み重ね状態における積み重ね対象の安定性向上を図ることが可能となる。
【０００８】
（本発明の第２発明）
前記課題を解決する本発明の第２発明は、請求項２に記載されたとおりの水処理装置である。
請求項２に記載のこの水処理装置では、請求項１に記載の上部槽及び下部槽の少なくとも一方は、一組のコルゲート部を複数組備える構成とされる。このような構成によれば、積み重ね時に重なり合うコルゲート部の数を増やすことによって、積み重ねに関する更なる安定性向上を図ることができる。
【０００９】
（本発明の第３発明）
前記課題を解決する本発明の第３発明は、請求項３に記載されたとおりの水処理装置である。
請求項３に記載のこの水処理装置では、請求項１または請求項２に記載の上部槽及び下部槽の少なくとも一方は、中心点に関し互いに点対称となる少なくとも一組のコルゲート部に、上端部の位置が高さ方向に関し接合フランジ面の位置と概ね合致するコルゲート部を含む構成とされる。
このような構成によれば、一部のコルゲート部の上端部の位置を接合フランジ面まで延在させることによって、当該コルゲート部と接合フランジとが連接する構造が実現され、コルゲート部の上端部の位置が接合フランジ面よりも下方に位置する場合に比して、槽全体の高い補強効果が得られることとなる。
【００１０】
（本発明の第４発明）
前記課題を解決する本発明の第４発明は、請求項４に記載されたとおりの水処理装置である。
請求項４に記載のこの水処理装置では、請求項１〜請求項３のいずれかに記載の上部槽及び下部槽の少なくとも一方は、中心線に関し互いに線対称となるとともに上端部の位置が高さ方向に関し概ね合致する少なくとも一組のコルゲート部を含む構成とされる。そして、当該少なくとも一組コルゲート部の上端部が内装部材の取り付け座として構成されるようになっている。ここでいう「内装部材」には、槽内に内装される各種の部材や部品が包含され、例えば機器類、配管類、計器類などの固定用若しくは取り付け用の部材を内装部材として用いることができる。
このような構成によれば、槽の積み重ねに関与するコルゲート部を、槽内の内装部材の取り付けに用いることができるため合理的である。
【００１１】
（本発明の第５発明）
前記課題を解決する本発明の第５発明は、請求項５に記載されたとおりの水処理装置である。
請求項５に記載のこの水処理装置では、請求項１〜４のいずれかに記載の槽本体は、仕切り板及び被挿入部を少なくとも備える。仕切り板は、下部槽の内部を区画するべく当該下部槽の短辺方向に沿って延在する部材として構成される。被挿入部は、互いに対向する各側壁面において隣接するコルゲート部の間隔を仕切り板の厚みに基づいて設定した部位として構成され、この被挿入部に仕切り板が挿入可能とされる。
このような構成によれば、槽の積み重ねに関与するコルゲート部を、更に仕切り板挿入用のガイドとして用いることが可能となる。
【００１２】
（本発明の第６発明）
前記課題を解決する本発明の第６発明は、請求項６に記載されたとおりの水処理装置である。
請求項６に記載のこの水処理装置では、請求項５に記載の被挿入部は、隣接するコルゲート部の間隔が仕切り板の厚みに概ね合致する構成であり、これによって当該被挿入部の挿設された状態の仕切り板の長辺方向への動作が規制される構成とされる。
このような構成によれば、槽の積み重ねに関与するコルゲート部を、仕切り板挿入用のガイドとして用いるとともに、更に仕切り板固定用として用いることが可能となる。
【発明の効果】
【００１３】
以上のように、本発明によれば、水処理装置の槽本体を構成する上部槽及び下部槽の少なくとも一方の側壁面に複数のコルゲート部を設け、各コルゲート部に、中心点に関し点対称となるコルゲート部が存在し、且つ長辺方向の中心線或いは短辺方向の中心線に関し線対称となるコルゲート部が存在するように構成するとともに、互いに点対称となるコルゲート部同士の上端部の位置が高さ方向に関し異なるように構成することによって、当該槽の積み重ねをスペーサーを用いることなく効率よく行うことができ、且つ積み重ね状態を安定化させることが可能となった。
【発明を実施するための最良の形態】
【００１４】
以下に、本発明の一実施の形態を図面に基づいて説明する。なお、本実施の形態は、一般家庭や工場から排出される排水を、被処理水として処理する水処理装置の構成について説明するものである。
【００１５】
本発明における「水処理装置」の一実施の形態である水処理装置１００の外観が図１に示される。この水処理装置１００は、「浄化槽」或いは「排水処理槽」ともいう。図１に示すように、本実施の形態の水処理装置１００は、概括的に見て、槽本体１０１の内部に水処理機構１０２を収容する構成を有する。なお、水処理機構１０２は、被処理水に対し各種の処理を行う構成を有し、特に図示しないものの、固液分離処理部、生物処理部、貯留処理部、移送処理部、消毒処理部等を適宜組み合わせた構成になっている。この水処理機構１０２が、本発明における「水処理機構」に相当する。
【００１６】
本発明における「槽本体」としての槽本体１０１は、上部槽（「上槽」ともいう）１１０及び下部槽（「下槽」ともいう）１２０を備える。この上部槽１１０が本発明における「上部槽」に対応しており、下部槽１２０が本発明における「下部槽」に対応している。
上部槽１１０は、平面視が略長方形となる椀状の槽であり、下部槽１２０の上部に配置される槽である。この上部槽１１０は、流入部１０３、放流部１０４、マンホール１０５を少なくとも備える。一方、下部槽１２０は、平面視が略長方形となる椀状の槽であり、上部槽１１０の下部に配置される槽である。上部槽１１０の接合フランジ１１０ａの接合フランジ面と、下部槽１２０の接合フランジ１２０ａの接合フランジ面とを互いに重ね合わせた状態で接合することによって、フランジ接合式の槽本体１０１が形成される。
【００１７】
（第１実施の形態）
ここで、槽本体１０１の下部槽の構造に関し、第１実施の形態の下部槽１２０の具体的な構成を、図２及び図３を参照しながら説明する。図２には第１実施の形態の下部槽１２０の側面図が示され、図３には第１実施の形態の下部槽１２０の平面図が示される。
【００１８】
図２及び図３に示すように、平面視が略長方形となる下部槽１２０の長辺側の側壁面１２０ｂには、当該側壁面１２０ｂが内周側へと凹んだ複数のコルゲート部１２１，１２２が設けられている。これらコルゲート部１２１，１２２によって側壁面１２０ｂに形成される波型形状は、いわゆる「コルゲート形状」と称呼される補強構造を構成する。これら複数のコルゲート部１２１，１２２が、本発明における「複数のコルゲート部」を構成する。
【００１９】
第１コルゲート部１２１は、高さ方向（上下方向）に長手状に延在するとともに、その上端部１２１ａの位置が接合フランジ１２０ａの接合フランジ面の位置と概ね合致するコルゲート部として構成される。一方、第２コルゲート部１２２は、同様に高さ方向（上下方向）に長手状に延在するとともに、その上端部１２２ａの位置が接合フランジ１２０ａの接合フランジ面よりも下方に位置するコルゲート部として構成される。すなわち、第１コルゲート部１２１と第２コルゲート部１２２とでは、上端部の位置が高さ方向（上下方向）に関し異なる構成になっている。また、第１コルゲート部１２１と第２コルゲート部１２２とでは、内周側へ向かう凹み深さがほぼ同様となるように構成されている。
【００２０】
特に、本実施の形態では、下部槽１２０の側壁面１２０ｂにおける、これら第１コルゲート部１２１及び第２コルゲート部１２２の配置位置に関しては、図３中の矢印で対応関係を示すように、中心点Ｐに関し互いに点対称となる四組のコルゲート部を有し、各組において、第１コルゲート部１２１及び第２コルゲート部１２２が互いに組み合わせられている。ここで、中心点Ｐは、長辺方向の中心線Ｌ１と短辺方向の中心線Ｌ２が交差する点として構成される。また、各組の各コルゲート部に対し、更に短辺方向の中心線Ｌ２に関し線対称となる別のコルゲート部が存在し、各組において、第１コルゲート部１２１及び第２コルゲート部１２２が互いに組み合わせられている。すなわち、各コルゲート部には、中心点Ｐに関し互いに点対称となるコルゲート部が存在し、且つ中心線Ｌ２に関し互いに線対称となるコルゲート部が存在することとなる。しかも、本実施の形態では、中心点Ｐに関し互いに点対称となるコルゲート部の組み合わせ同士の上端部１２１ａ，１２２ａの位置が高さ方向（上下方向）に関し異なり、また中心線Ｌ２に関し互いに線対称となるコルゲート部の組み合わせ同士の上端部１２１ａ，１２２ａの位置が高さ方向（上下方向）に関し異なる構成になっている。
【００２１】
次に、このような構成の下部槽１２０の複数を保管時や運搬時などにおいて上下に積み重ねる場合につき、図４及び図５を参照しながら説明する。ここで、図４には、実線で示す下側の下部槽１２０の上方から、二点鎖線で示す上側の下部槽１２０を積み重ねる際の様子が示され、図５には図４中のＡ−Ａ線断面の状態が示される。
【００２２】
少なくとも２つの下部槽１２０を上下に積み重ねる場合には、下側の下部槽１２０を上側の下部槽１２０に対し中心点（図３中の中心点Ｐ）まわりに１８０度回転させたのち、図４に示すように上側の下部槽１２０に対し嵌め込むように挿入する。このとき、下側の下部槽１２０の第１コルゲート部１２１の位置が、上側の下部槽１２０の第２コルゲート部１２２の位置と合致し、下側の下部槽１２０の第２コルゲート部１２２の位置が、上側の下部槽１２０の第１コルゲート部１２１の位置と合致する。そして、２つの下部槽１２０を上下に積み重ねた状態では、図５に示すように、下側の下部槽１２０の第１コルゲート部１２１に対し、上側の下部槽１２０の第２コルゲート部１２２が嵌まり込み、下側の下部槽１２０の第２コルゲート部１２２に対し、上側の下部槽１２０の第１コルゲート部１２１が嵌まり込むこととなる。また、下側の下部槽１２０の第１コルゲート部１２１の上端部１２１ａの計４箇所に対し、上側の下部槽１２０の第２コルゲート部１２２の上端部１２２ａが載置され、これによって積み重ね状態において下側の下部槽１２０と上側の下部槽１２０との間に空間（スペース）が形成されることとなる。従って、スペーサー等を用いることなく、手間とコストを抑えたうえで複数の下部槽１２０を上下に効率よく積み重ねることができ、しかも一旦積み重ねた後の分離作業も容易に行うことができる。
【００２３】
また、本実施の形態の下部槽１２０の構成では、上述のように各コルゲート部には、中心点Ｐに関し互いに点対称となるコルゲート部が存在し、且つ中心線Ｌ２に関し線対称となるコルゲート部が存在する構成であり、従って積み重ねに関与するコルゲート部が側壁面１２０ｂにバランス良く配置されることとなる。このような構成によって、下部槽１２０の積み重ねに際しバランス良く配置されたコルゲート部同士が互いに重なり合う（嵌まり込む）こととなり、従って少なくとも２つの下部槽１２０の積み重ね状態における安定性向上を図ることが可能となる。
【００２４】
更に、本実施の形態の下部槽１２０の構成では、第１コルゲート部１２１の上端部１２１ａの位置が接合フランジ１２０ａの接合フランジ面の位置と概ね合致する構成であるため、第１コルゲート部１２１と接合フランジ１２０ａとが連接する構造が実現されることとなる。このような構造は、特に下部槽１２０全体の高い補強効果（例えば捩れ強度向上効果）を得るのに有効である。
そのうえ、本実施の形態では、図１に示すように、下部槽１２０における第１コルゲート部１２１と、上部槽１１０におけるコルゲート部１１１とが、接合フランジ１１０ａ，１２０ａの接合フランジ面において互いに当接（連接）するように構成されている。ここで、上部槽１１０の第１コルゲート部１１１は、下部槽１２０のコルゲート部１２１，１２２と同様のコルゲート部として構成される。このような構成によれば、下部槽１２０の第１コルゲート部１２１と、上部槽１１０のコルゲート部１１１とが連接する構造によって、下部槽１２０のみならず、槽本体１０１全体の高い補強効果が得られる。
【００２５】
（第２実施の形態）
また、槽本体１０１の下部槽の構造に関し、第２実施の形態の下部槽２２０の具体的な構成を、図６及び図７を参照しながら説明する。図６には第２実施の形態の下部槽２２０の側面図が示され、図７には第２実施の形態の下部槽２２０の平面図が示される。
なお、この第２実施の形態の下部槽２２０では、２種類のコルゲート部２２１，２２２が連接状に形成されたコルゲート部２２３を、第１実施の形態と同様に下部槽２２０の積み重ねの際に用いるのに加え、更に槽内の内装部品の取り付け座として用いる構成としている。
【００２６】
図６及び図７に示すように、平面視が略長方形となる下部槽２２０の長辺側の側壁面２２０ｂには、当該側壁面２２０ｂが内周側へと凹んだ複数のコルゲート部２２３（本発明における「複数のコルゲート部」を構成する）が設けられている。また、各コルゲート部２２３は、第１コルゲート部２２１及び第２コルゲート部２２２が連接された構成を有する。第１コルゲート部２２１は、高さ方向（上下方向）に長手状に延在するとともに、その上端部２２１ａの位置が接合フランジ２２０ａの接合フランジ面の位置と概ね合致するコルゲート部として構成される。一方、第２コルゲート部２２２は、同様に高さ方向（上下方向）に長手状に延在するとともに、その上端部２２２ａの位置が接合フランジ２２０ａの接合フランジ面の位置よりも下方に位置するコルゲート部として構成される。すなわち、第１コルゲート部２２１と第２コルゲート部２２２とでは、上端部の位置が高さ方向（上下方向）に関し異なる構成になっている。また、第１コルゲート部２２１と第２コルゲート部２２２とでは、内周側へ向かう凹み深さがほぼ同様となるように構成されている。
【００２７】
特に、下部槽２２０の側壁面２２０ｂにおける、これら第１コルゲート部２２１及び第２コルゲート部２２２の配置位置に関しては、図７中の矢印で対応関係を示すように、中心点Ｐに関し互いに点対称となる四組のコルゲート部を有し、各組において、第１コルゲート部２２１及び第２コルゲート部２２２が互いに組み合わせられている。また、各組の各コルゲート部に対し、更に短辺方向の中心線Ｌ２に関し線対称となる別のコルゲート部が存在し、各組において、第１コルゲート部２２１及び第２コルゲート部２２２が互いに組み合わせられている。すなわち、各コルゲート部には、中心点Ｐに関し点対称となるコルゲート部が存在し、且つ中心線Ｌ２に関し線対称となるコルゲート部が存在することとなる。しかも、本実施の形態では、中心点Ｐに関し互いに点対称となるコルゲート部の組み合わせ同士の上端部２２１ａ，２２２ａの位置が高さ方向（上下方向）に関し異なり、また中心線Ｌ２に関し線対称となるコルゲート部の組み合わせ同士の上端部２２１ａ，２２２ａの位置が高さ方向（上下方向）に関し異なる構成になっている。
【００２８】
また、本実施の形態では、図６及び図７に示すように、中心線Ｌ１に関し互いに線対称となる一組の第２コルゲート部２２２（二点鎖線）の上端部２２２ａの位置が高さ方向（上下方向）に関し概ね合致する構成とし、この第２コルゲート部２２２の上端部２２２ａを、内装部材２２４の取り付け座として構成している。この内装部材２２４は、槽内に内装される部材や部品として構成され、例えば槽内に装着される機器類、配管類、計器類などの固定用若しくは取り付け用の部材として構成される。この内装部材２２４が、本発明における「内装部材」に相当する。
【００２９】
次に、このような構成の下部槽１２０の複数を保管時や運搬時などにおいて上下に積み重ねる場合につき、図８及び図９を参照しながら説明する。ここで、図８には、実線で示す下側の下部槽２２０の上方から、二点鎖線で示す上側の下部槽２２０を積み重ねる際の様子が示され、図９には図８中のＢ−Ｂ線断面の状態が示される。
【００３０】
少なくとも２つの下部槽２２０を上下に積み重ねる場合には、下側の下部槽２２０を上側の下部槽２２０に対し中心点（図７中の中心点Ｐ）まわりに１８０度回転させたのち、図８に示すように上側の下部槽２２０に対し嵌め込むように挿入する。このとき、下側の下部槽２２０の第１コルゲート部２２１の位置が、上側の下部槽２２０の第２コルゲート部２２２の位置と合致し、下側の下部槽２２０の第２コルゲート部２２２の位置が、上側の下部槽２２０の第１コルゲート部２２１の位置と合致する。そして、２つの下部槽２２０を上下に積み重ねた状態では、図９に示すように、下側の下部槽２２０の第１コルゲート部２２１に対し、上側の下部槽２２０の第２コルゲート部２２２が嵌まり込み、下側の下部槽２２０の第２コルゲート部２２２に対し、上側の下部槽２２０の第１コルゲート部２２１が嵌まり込むこととなる。また、下側の下部槽２２０の第１コルゲート部２２１の上端部２２１ａの計４箇所に対し、上側の下部槽２２０の第２コルゲート部２２２の上端部２２２ａが載置され、これによって積み重ね状態において下側の下部槽２２０と上側の下部槽２２０との間に空間（スペース）が形成されることとなる。従って、第１実施の形態と同様に、スペーサー等を用いることなく、手間とコストを抑えたうえで複数の下部槽２２０を上下に効率よく積み重ねることができ、しかも一旦積み重ねた後の分離作業も容易に行うことができる。
【００３１】
また、本実施の形態の下部槽２２０の構成では、上述のように各コルゲート部には、中心点Ｐに関し点対称となるコルゲート部が存在し、且つ中心線Ｌ２に関し線対称となるコルゲート部が存在する構成であり、従って積み重ねに関与するコルゲート部がバランス良く配置されることとなる。このような構成によって、下部槽２２０の積み重ねに際しバランス良く配置されたコルゲート部同士が重なり合う（嵌まり込む）こととなり、従って第１実施の形態と同様に、少なくとも２つの下部槽２２０の積み重ね状態における安定性向上を図ることが可能となる。
【００３２】
（第３実施の形態）
また、槽本体１０１の下部槽の構造に関し、第３実施の形態の下部槽３２０の具体的な構成を、図１０及び図１１を参照しながら説明する。図１０には第３実施の形態の下部槽３２０の側面図が示され、図１１には第３実施の形態の下部槽３２０の平面図が示される。
上述の第１及び第２実施の形態では、下部槽の側壁面に２種類のコルゲート部を設ける場合について記載したのに対し、この第３の実施の形態では、下部槽の側壁面に３種類以上のコルゲート部を設ける場合について記載している。
【００３３】
具体的には、図１０及び図１１に示すように、平面視が略長方形となる下部槽３２０の長辺側の側壁面３２０ｂには、当該側壁面３２０ｂが内周側へと凹んだ複数のコルゲート部３２１，３２２，３２３，３２４，３２５（本発明における「複数のコルゲート部」を構成）が設けられている。第２コルゲート部３２２及び第４コルゲート部３２４は、高さ方向（上下方向）に長手状に延在するとともに、それらの上端部の位置が接合フランジ３２０ａの接合フランジ面の位置と概ね合致するコルゲート部として構成される。一方、第１コルゲート部３２１、第３コルゲート部３２３及び第５コルゲート部３２５は、同様に高さ方向（上下方向）に長手状に延在するとともに、その上端部の位置が接合フランジ３２０ａの接合フランジ面よりも下方に位置するコルゲート部として構成される。これら第１コルゲート部３２１、第３コルゲート部３２３及び第５コルゲート部３２５では、上端部の位置が高さ方向（上下方向）に関し異なる構成になっている。また、第１〜第５コルゲート部３２１〜３２５では、内周側へ向かう凹み深さがほぼ同様となるように構成されている。
【００３４】
特に、下部槽３２０の側壁面３２０ｂにおける、これら第１〜第５コルゲート部３２１〜３２５の配置位置に関しては、図１１中の矢印で対応関係を示すように、中心点Ｐに関し互いに点対称となる四組のコルゲート部を有し、各組において、第１コルゲート部３２１及び第４コルゲート部３２４或いは第２コルゲート部３２２及び第３コルゲート部３２３が互いに組み合わせられている。また、各組の各コルゲート部に対し、更に短辺方向の中心線Ｌ２に関し線対称となる別のコルゲート部が存在し、各組において、第１コルゲート部３２１及び第４コルゲート部３２４或いは第２コルゲート部３２２及び第３コルゲート部３２３が互いに組み合わせられている。すなわち、各コルゲート部には、中心点Ｐに関し互いに点対称となるコルゲート部が存在し、且つ中心線Ｌ２に関し互いに線対称となるコルゲート部が存在することとなる。しかも、本実施の形態では、中心点Ｐに関し互いに点対称となるコルゲート部の組み合わせ同士の上端部の位置が高さ方向（上下方向）に関し異なり、また中心線Ｌ２に関し互いに線対称となるコルゲート部の組み合わせ同士の上端部の位置が高さ方向（上下方向）に関し異なる構成になっている。
【００３５】
このような構成の下部槽３２０を積み重ねる場合も、第１及び第２実施の形態として上述の下部槽１２０，２２０と同様に、下側の下部槽３２０を上側の下部槽３２０に対し中心点（図１１中の中心点Ｐ）まわりに１８０度回転させたのち、嵌め込むように挿入する。これにより、スペーサー等を用いることなく、手間とコストを抑えたうえで複数の下部槽３２０の積み重ね及び分離を効率よく行うことができるとともに、積み重ねた状態における安定性向上を図ることが可能となる。
【００３６】
また、本実施の形態では、槽内部を区画する仕切り板の取り付けに関し、コルゲート形状を用いるように構成している。ここで、図１２〜図１４を参照しながら、第１実施の形態の下部槽１２０において仕切り板１３０を取り付けるための具体的な構成について説明する。この仕切り板１３０が、本発明における「仕切り板」に相当する。
【００３７】
図１２及び図１３に示すように、この実施の形態では、下部槽１２０の側壁面１２０ｂにおいて第１コルゲート部１２１と第２コルゲート部１２２の間に、仕切り板用の被挿入部１２５を設ける。そして、被挿入部１２５の間隔ａが上下方向に関しほぼ一定となるように構成するとともに、この被挿入部１２５の間隔ａが、仕切り板１３０の長辺方向に関する部分（上端及び下端における折り返し部分）の板厚ｂと概ね合致するか或いは若干大きくなるように構成する。この被挿入部１２５が、本発明における「被挿入部」に相当する。
【００３８】
このような構成において、下部槽１２０に仕切り板１３０を取り付ける場合には、図１２中の矢印で示すように、被挿入部１２５の上方から仕切り板１３０を挿入していく。このとき、被挿入部１２５は、仕切り板１３０を下部槽１２０の下方へ向けて円滑に誘導するための仕切り板誘導手段としての機能を発揮する。そして、仕切り板１３０を所望の設置位置まで挿入した状態では、仕切り板１３０の下端が被挿入部１２５の底部に当たることによって仕切り板１３０の挿入方向の動作が規制されるとともに、長辺方向への移動動作が規制されることとなる。このように、本実施の形態によれば、仕切り板１３０の形状に基づいて被挿入部１２５の間隔ａを適宜設定することによって、下部槽１２０の積み重ねに関与するコルゲート部１２１，１２２を、更に仕切り板ガイド用、仕切り板ストッパー用及び仕切り板固定用として用いることが可能となる。
【００３９】
また、図１２及び図１３に示す実施の形態において、被挿入部１２５の間隔のうち上部の間隔ｃを下部の間隔ａよりも拡張させた傾斜状の構成（図１４参照）を用いることもできる。このような構成によれば、下部槽１２０の積み重ねに関与するコルゲート部１２１，１２２を、仕切り板ガイド用、仕切り板ストッパー用及び仕切り板固定用として用いることが可能となるうえに、更に被挿入部１２５の挿入口側の間隔を広げることによって、被挿入部１２５への仕切り板１３０の誘導を円滑に行うことができ、また仕切り板１３０の接着のために被挿入部１２５内に予め塗布した接着材が、当該仕切り板１３０の挿入の際に削がれるのを抑えることが可能となる。
【００４０】
〔他の実施の形態〕
なお、本発明は上記の実施の形態のみに限定されるものではなく、種々の応用や変形が考えられる。例えば、上記実施の形態を応用した次の各形態を実施することもできる。
【００４１】
上記実施の形態では、槽本体の下部槽におけるコルゲート形状について記載したが、本発明を上部槽の構成に対して適用することもできる。また、下部槽同士を積み重ねる構成、上部槽同士を積み重ねる構成、上部槽と下部槽を積み重ねる構成に関し、本発明のコルゲート形状を用いることができる。また、上記実施の形態では、下部槽の長辺部分の側壁面におけるコルゲート形状について記載したが、下部槽の短辺部分の側壁面におけるコルゲート形状に対して本発明を適用することもできる。
【００４２】
また、上記実施の形態では、例えば下部槽１２０において、第１コルゲート部１２１の上端部１２１ａの高さ方向に関する位置が接合フランジ１２０ａの接合フランジ面の位置に概ね合致する場合について記載したが、本発明では、この第１コルゲート部１２１の上端部１２１ａの位置は、接合フランジ面の位置に概ね合致してもよいし、或いは接合フランジ面の位置よりも下方に適宜設定されてもよい。
【００４３】
また、本発明では、槽の側壁面に設ける複数のコルゲート部のうち、その全部または一部が積み重ねに関与するコルゲート部であればよく、例えば槽の側壁面の全てのコルゲート部が積み重ねに関与する構成であってもよいし、或いは積み重ねに関与するコルゲート部と積み重ねに関与しないコルゲート部とが共存する構成であってもよい。
【図面の簡単な説明】
【００４４】
【図１】本発明における「水処理装置」の一実施の形態である水処理装置１００の外観を示す図である。
【図２】第１実施の形態の下部槽１２０の側面図である。
【図３】第１実施の形態の下部槽１２０の平面図である。
【図４】実線で示す下側の下部槽１２０の上方から、二点鎖線で示す上側の下部槽１２０を積み重ねる際の様子を示す図である。
【図５】図４中のＡ−Ａ線断面の状態を示す図である。
【図６】第２実施の形態の下部槽２２０の側面図である。
【図７】第２実施の形態の下部槽２２０の平面図である。
【図８】実線で示す下側の下部槽２２０の上方から、二点鎖線で示す上側の下部槽２２０を積み重ねる際の様子を図である。
【図９】は図８中のＢ−Ｂ線断面の状態を示す図である。
【図１０】第３実施の形態の下部槽３２０の側面図である。
【図１１】第３実施の形態の下部槽３２０の平面図である。
【図１２】第１実施の形態の下部槽１２０において仕切り板１３０を取り付けるための構成を説明する図である。
【図１３】第１実施の形態の下部槽１２０において仕切り板１３０を取り付けるための構成を説明する図である。
【図１４】第１実施の形態の下部槽１２０において仕切り板１３０を取り付けるための構成を説明する図である。
【符号の説明】
【００４５】
１００…水処理装置
１０１…槽本体
１０２…水処理機構
１０３…流入部
１０４…放流部
１０５…マンホール
１１０…上部槽
１１０ａ，１２０ａ，２２０ａ，３２０ａ…接合フランジ
１２０，２２０，３２０…下部槽
１２０ｂ，２２０ｂ…側壁面
１２１，２２１，３２１…第１コルゲート部
１２１ａ，１２２ａ…上端部
１２２，２２２，３２２…第２コルゲート部
１２５…被挿入部
１３０…仕切り板
２２４…内装部材
３２３…第３コルゲート部
３２４…第４コルゲート部
３２５…第５コルゲート部
【図１】
2006255608.tif 000003
【図２】
2006255608.tif 000004
【図３】
2006255608.tif 000005
【図４】
2006255608.tif 000006
【図５】
2006255608.tif 000007
【図６】
2006255608.tif 000008
【図７】
2006255608.tif 000009
【図８】
2006255608.tif 000010
【図９】
2006255608.tif 000011
【図１０】
2006255608.tif 000012
【図１１】
2006255608.tif 000013
【図１２】
2006255608.tif 000014
【図１３】
2006255608.tif 000015
【図１４】
2006255608.tif 000016